(57)【特許請求の範囲】
【請求項１】
ケースの壁には、外部からケース内に備えさせる接片に向けて同軸ケーブルの芯線を挿入するための孔を備え、
上記ケースの孔の外側の周囲においては、上記芯線が上記孔を貫通し、かつ、
上記芯線の先部が上記接片の接圧部に嵌った状態の同軸ケーブルを、上記ケースの孔縁に対して固定維持させるようにしてある取付手段を備えた電子機器において、
上記ケースの壁における上記接片に近い位置には、妨害電波が上記ケース内へ入射することを阻止する程度に小さく、かつ、上記接片と上記芯線との接続状態を目視することができる大きさを有する透視窓を備え、
ケース内に備えさせる接片の近くには、上記接片における接圧部の存在位置を明るくする採光手段が施され、
採光手段の光を透視窓に向けて透過させる透光部を備える定規体をケース内に固定的に備えさせ、上記定規体における透光部の位置は、同軸ケーブルの芯線の先部が上記接片の接圧部に嵌合した状態では、上記透光部から透視窓へ向かう光が上記芯線の先部によって遮られるような位置に配置し、上記定規体を透過する光の明暗によって、上記接片と上記芯線との接続状態を透視窓から目視することができるようにしてあることを特徴とする電子機器。
【請求項２】
ケースの壁には、外部からケース内に備えさせる接片に向けて同軸ケーブルの芯線を挿入するための孔を備え、
上記ケースの孔の外側の周囲においては、上記芯線が上記孔を貫通し、かつ、
上記芯線の先部が上記接片の接圧部に嵌った状態の同軸ケーブルを、上記ケースの孔縁に対して固定維持させるようにしてある取付手段を備えた電子機器において、
上記ケースの壁における上記接片に近い位置には、妨害電波が上記ケース内へ入射することを阻止する程度に小さく、かつ、上記接片と上記芯線との接続状態を目視することができる大きさを有する透視窓を備え、
ケース内に備えさせる接片の近くには、上記接片における接圧部の存在位置を明るくする採光手段が施され、
採光手段の光を透視窓に向けて透過させる第１透光部と、第２透光部とを同軸ケーブルの芯線の進入方向に向けて備える定規体をケース内に固定的に備えさせ、
上記２つの第１透光部と第２透光部の位置は、
同軸ケーブルの芯線の先部が上記接片の接圧部に嵌った状態では、上記２つの透光部の内の第１透光部から透視窓へ向かう光のみが上記芯線の先部によって遮られるような位置に配設し、かつ、上記芯線の先部が上記接片の接圧部を過剰に超えて進入した状態では、上記第１透光部及び第２透光部から透視窓へ向かう光が、夫々上記芯線によって遮られるような位置に配設し、
上記定規体における第１透光部と、第２透光部を夫々透過する光の明暗によって、上記接片と上記芯線との接続状態を透視窓から目視することができるようにしてあることを特徴とする電子機器。
【発明の詳細な説明】
【技術分野】
【０００１】
本発明は、電子機器に関し、詳しくは電子機器のケースに対して同軸ケーブルを接続して用いる分配器、分岐器、セパレーター、直列ユニット等の電子機器に関する。
【背景技術】
【０００２】
従来の電子機器、例えば特許文献１における図１５に示される電子機器は、電子機器のケースの壁に、外部からケース内に備える連結金具（接片ともいう）に向けて同軸ケーブルの中心導体（芯線ともいう）を挿入するための孔を備え、さらに、上記ケースの孔の周囲には、上記芯線の先部が上記接片の接圧部に嵌った状態の同軸ケーブルを、上記ケースの孔縁に対して固定維持させるための同軸ケーブル装着手段（取付手段ともいう）を備えている。
そして、電子機器に対する同軸ケーブルの接続作業は次のようにしている。
まず、通常行われるように、挿入する同軸ケーブルの端部を芯線及び外部導体が所定の構成に露出するよう加工する。
次に、同軸ケーブルの芯線をケース内に向けて挿入し、芯線の先部をケース内の接片に嵌合させ、外部導体の内側にはケース側のスリーブ体を挿入して電気的接を行っている（特許文献１の図15参照）。
また、電子機器ケースに対しては同軸ケーブルの芯線も外部導体も適切に接続された状態が維持されるように、ケースの外部に設けたコネクタ本体とスリーブ体と抜け止具とで機械的に連結している（特許文献１の図15参照）。
以上のように従来の電子機器にあっては端部の芯線と外部導体を所定の構成に処理した同軸ケーブルを、電子機器のケース内の接片に向けて外部から挿入する作業で、ケースに対して同軸ケーブルを接続している（例えば、特許文献１参照）。
【０００３】
【特許文献１】特開２００５−１５８６８０公報
【発明の開示】
【発明が解決しようとする課題】
【０００４】
しかし、このような従来の電子機器では、同軸ケーブルの芯線をケース内に向けて挿入し、芯線の先部をケース内の接片に嵌合させようとする場合、ケース内において、壁の孔から接片の接圧部までの距離が長いので、作業者が芯線の挿入方向を誤って、例えば、接片と基板との間に向けて挿入させるおそれがある。
この場合、芯線の先部が基板上面を傷つけ、回路に損傷を与えている場合がある。また、芯線の先部が、接片の不適当な所に接触している場合がある。
上記接片の不適当な所に芯線の先部が接したときには、接続作業完了後、導通テストをすると合格する。しかし、後日経年使用するうちに、接触不良の事故をおこす危険が潜むという問題点があった。
【０００５】
本件出願の目的は、同軸ケーブルの接続作業にあっては、簡易な作業で電子機器のケース内の接片に対して同軸ケーブルの芯線を適正に接続でき、かつ、ケースに対する同軸ケーブルの装着状態を維持できる電子機器を提供しようとするものである。
【０００６】
他の目的は、同軸ケーブルの芯線を接片に接続した後は、電子機器ケース内の接片に対する同軸ケーブルの芯線の接続状態を、ケースの外側から目視確認できる電子機器を提供しようとするものである。
【０００７】
他の目的は、同軸ケーブルの芯線を接片に接続した後、ケースの外側から、電子機器ケース内の接片に対する同軸ケーブルの芯線の接続状態を確認する際、
上記接片における接圧部の存在位置を明るく目視できる電子機器を提供しようとするものである。
【０００８】
他の目的は、同軸ケーブルの芯線を接片に接続した後は、電子機器ケース内の接片に対する同軸ケーブルの芯線の接続状態が適正か否かを、ケースの外側から目視で素早く判別できる電子機器を提供しようとするものである。
他の目的及び利点は図面及びそれに関連した以下の説明により容易に明らかになるであろう。
【課題を解決するための手段】
【０００９】
本願発明における電子機器１は、ケース２の壁３には、外部からケース内に備えさせる接片10に向けて同軸ケーブル15の芯線19ａを挿入するための孔４を備え、上記ケースの孔４の外側の周囲においては、上記芯線19ａが上記孔４を貫通し、かつ、上記芯線19ａの先部19ｂが上記接片の接圧部12に嵌った状態の同軸ケーブル15を、上記ケースの孔縁に対して固定維持させるようにしてある取付手段21を備えた電子機器１において、上記ケース２の壁３における上記接片10に近い位置には、妨害電波が上記ケース内へ入射することを阻止する程度に小さく、かつ、上記接片10と上記芯線19ａとの接続状態を目視することができる大きさを有する透視窓30を備え、さらに、
【００１０】
ケース内に備えさせる接片10の近くには、上記接片10における接圧部12の存在位置を明るくする採光手段34が施され、さらに、
【００１１】
採光手段34の光を透視窓30に向けて透過させる透光部42を備える定規体40をケース内に固定的に備えさせ、上記定規体40における透光部34の位置は、同軸ケーブル15の芯線19ａの先部19ｂが上記接片10の接圧部12に嵌合した状態では、上記透光部42から透視窓30へ向かう光が上記芯線の先部19ｂによって遮られるような位置に配置し、上記定規体40を透過する光の明暗によって、上記接片40と上記芯線19ａとの接続状態を透視窓30から目視することができるようにしてある。
【００１２】
また好ましくは、ケース２の壁３には、外部からケース内に備えさせる接片10に向けて同軸ケーブル15の芯線19ａを挿入するための孔４を備え、上記ケースの孔４の外側の周囲においては、上記芯線19ａが上記孔４を貫通し、かつ、上記芯線19ａの先部19ｂが上記接片の接圧部12に嵌った状態の同軸ケーブル15を、上記ケースの孔縁に対して固定維持させるようにしてある取付手段21を備えた電子機器１において、上記ケース２の壁３における上記接片10に近い位置には、妨害電波が上記ケース内へ入射することを阻止する程度に小さく、かつ、上記接片10と上記芯線19ａとの接続状態を目視することができる大きさを有する透視窓30を備え、
ケース内に備えさせる接片10の近くには、上記接片10における接圧部12の存在位置を明るくする採光手段34が施され、
採光手段34の光を透視窓30に向けて透過させる第１透光部42ａと、第２透光部42ｂとを同軸ケーブルの芯線19ａの進入方向に向けて備える定規体40をケース内に固定的に備えさせ、上記２つの第１透光部42ａと第２透光部42ｂの位置は、同軸ケーブルの芯線19ａの先部19ｂが上記接片10の接圧部12に嵌った状態では、上記２つの透光部42ａ、42ｂの内の第１透光部42ａから透視窓30へ向かう光のみが上記芯線の先部19ｂによって遮られるような位置に配設し、かつ、上記芯線19ａの先部19ｂが上記接片の接圧部12を過剰に超えて進入した状態では、上記第１透光部42ａ及び第２透光部42ｂから透視窓30へ向かう光が、夫々上記芯線19ａによって遮られるような位置に配設し、上記定規体40における第１透光部42ａと、第２透光部42ｂを夫々透過する光の明暗によって、上記接片10と上記芯線19ａとの接続状態を透視窓30から目視することができるようにしてあるものであればよい。
【発明の効果】
【００１３】
以上のように本願発明は、同軸ケーブルの接続作業において、同軸ケーブルの芯線をケース内に向けて挿入するだけの簡単な手間で、電子機器のケース内の接片に対して同軸ケーブルの芯線を適正に接続でき、かつ、ケースに対する同軸ケーブルの装着状態を維持できる特長がある。
【００１４】
さらに本願発明は、同軸ケーブルの芯線を接片に接続した後は、ケースの壁における接片に近い位置に設けた透視窓を利用して、ケースの外側から電子機器ケース内の接片に対する同軸ケーブルの芯線の接続状態を、目視確認でき、接触不良に伴う事故を未然に防止することができる安全上の効果がある。
しかも、ケースの外側から電子機器ケース内の接片に対する同軸ケーブルの芯線の接続状態を確認できるものであっても、透視窓は妨害電波が上記ケース内へ入射することを阻止する程度に小さく形成したので、妨害電波が上記ケース内へ入射するおそれがなく、適正に電子機器を動作させることができる効果がある。
【００１５】
さらに、本願発明にあっては、ケース内に備えさせる接片の近くに採光手段を施した場合にあっては、同軸ケーブルの芯線を接片に接続した後、ケースの外側から電子機器ケース内の接片に対する同軸ケーブルの芯線の接続状態を確認する際、上記接片における接圧部の存在位置を明るくして目視することができる特長がある。
このことは、透視窓の大きさをより小さくすることができ、妨害電波が上記ケース内へ入射するおそれがより少なくなる効果がある。
【００１６】
さらに本願発明にあっては、ケース内に非透光部と透光部とを備える定規体を設けた場合は、同軸ケーブルの芯線を接片に接続した後、ケースの外側から電子機器ケース内の接片に対する同軸ケーブルの芯線の接続状態を確認する際、同軸ケーブルの芯線の先部が上記接片の接圧部に嵌った状態では、定規体における透光部から透視窓へ向かう光が、上記芯線の先部によって遮られるので、透視窓から目視できる光の明暗によって、接片と芯線の接続が判別でき、接続状態が適正か否かを素早く、直感的に判別できる作業上の効果がある。
【発明を実施するための最良の形態】
【００１７】
以下本願発明の実施の形態を図面を用いて説明する。図１乃至図５において、    １は同軸ケーブルを接続して用いる電子機器を示し、例として分配器を示す。
２は上記電子機器１におけるケースを示し、ケース本体2aと蓋体2bとで構成される。
ケース本体2a及び蓋体2bは、夫々任意のシールド材である金属材料、例えば亜鉛ダイカストで形成されており、任意の成形手段により別体に形成されている。上記蓋体2bは上記ケース本体2aに対して任意の固着手段、例えば嵌着、圧入等で固着してある。
上記ケース２の内部空間５は、壁３,３,３,３,３,３で周囲が囲まれ、周知のように電磁シールドされるよう形成されている。
４は上記ケース２における壁３ａに備えさせる孔を示し、ケース２の外部から、後述するケース２内に備える接片10に向けて同軸ケーブル15の芯線19ａを挿入する為のものである。
６は造営材に固着させる為の装着部を示し、周知のように造営材に対し取付孔を介して木ねじで固着するように形成してある。
【００１８】
９は上記ケース２内に取付けられた周知の電子回路の基板を示す。
10は同軸ケーブル15の芯線19ａを電子回路に対して接続する為に、上記ケース２内に備えられた周知の接片を示し、接片10の元部14は電子回路に接続されると共に、上記基板９上に固着してある。
上記接片10において、12は同軸ケーブル15の芯線19ａを弾力的に嵌合させる接圧部を示し、11は芯線19ａを上記接圧部12へ案内する導入部を示す。13は板状の本体部を示し、上記接圧部12に嵌合した芯線19ａを弾力的に圧接するように形成してある。
【００１９】
図２に表れている21は、上記ケースの壁3ａに設けた孔４の外側の周囲に備えてある公知（例えば特許文献１の図15で知られている）の取付手段を示す。
しかし、取付手段としては、他の手段、例えば同軸ケーブル15が図２の右側から孔４を貫通して芯線19ａが図２に表れているように接片10の接圧部12に対して嵌合した状態になったとき、図２のように露出し、かつ、先部がケースに圧接した状態にある同軸ケーブル15の外部導体17を周知の導電性締め付けリングで締着し、そのリングに連なる導電部材をケースの外壁３に対して任意の固着手段、例えば螺合手段で同軸ケーブル15が不動状態となり、かつ電気的には導通可能に固着するようにしても良い。
なお、上記取付手段21は、元部22ａがケースの壁３に一体材で固着され、先部22ｂ（先端）が自由端となり、内部空間24を備える筒部22と、筒部22の先部22ｂの内側に対し、任意の固着手段で嵌合された環状のスリーブ28と、スリーブ28の内側に備えさせ、自体の内側自由端が同軸ケーブル15の外被16の外側に僅かに食い込むように構成してあるリング状の抜け止爪23と、上記内部空間24にあって、元部が壁３に固着してある導通部材25であって、同軸ケーブル15における外部導体17の内側に差し込まれる導通用のスリーブ25aを備え、さらに、進退させることによって抜け止爪23を同軸ケーブル15の外被16から接離させ、同軸ケーブル15を抜き出すことができるようにしてある環状のリリース26とから構成される。
上記構成の取付手段21を用いて、同軸ケーブル15を上記ケースの孔縁に対して固定維持させる場合には、同軸ケーブル15における芯線19、絶縁体18、外部導体17等に周知の如く露出させる手段を施して図２（Ａ）に表れているような状態にする。その後、図２（Ａ）の右側から芯線19ａを先頭にして環状のリリース26、抜け止爪23、孔４を貫通させ、同軸ケーブル15の全体を図２に表れている位置に到達させる。この過程においては、スリーブ25aの先端が外部導体17の内側に図示のように入り込み、外部導体17とケース２と導通させる。また先頭の芯線19ａは接片10における接圧部12の間に挿入され、導通状態になる。以上のようにして同軸ケーブル15はケースの孔縁に対して固定維持される。
なお、図２において上記筒部22は、ケース２の壁3aと一体形成したものを示したが、筒部22を別体に形成し、任意の固着手段、例えば螺合手段、溶着・接合手段、嵌着手段によりケース２に一体的にしても良い。
【００２０】
次に、図１、２に表れる30は、上記ケースの壁３ｂにおける上記接片10に近い位置（接片10が見える位置関係、例えば鏡を用いれば遠くに設けられる）に配設した透視窓を示す。
上記透視窓30の大きさは、妨害電波が上記ケース２内へ入射することを阻止する程度に小さく、かつ、上記接片10と上記芯線19ａとの接続状態を目視することができる大きさを有するように形成すればよい。
上記透視窓30の大きさとしては、電子機器１において扱う周波数帯域によって大小異なるが、例えばＵＨＦ帯域の場合、上記ケース２内へ入射することを阻止するには透視窓30の直径３mm程度以下が好ましい。しかし、上記接片10と上記芯線19ａとの接続状態を目視する場合は大きい程よい。従って実施に当っては、実質的に影響の少ない３mm〜５mm程度にすればよい。
【００２１】
次に、図２（Ａ）に図示するケース内の接片10の近くに配設された採光手段34について説明する。
採光手段34は、ケース２内の基板９上に固定的に配置した周知のＬＥＤ（発光手段としても理解される）で構成されている。上記採光手段34としてのＬＥＤは、独立した電源から供給してもよいが、周知のように電流通過端子から電力供給が受けられるように内部回路に接続されている。
従って周知のように同軸ケーブル15を通して電源が重畳された場合、ＬＥＤは発光する。
このような採光手段34を備えさせる場合は、上記接片10における接圧部12の存在位置を明るくすることができ、同軸ケーブルの芯線19ａを接片10に接続後、ケース２の外側からケース内の接片10に対する芯線19ａの接続状態を確認する際、明るくして目視を容易にする特長がある。
このことは、透視窓30の大きさをより小さくすることができ、妨害電波が上記ケース内へ入射するおそれがより小さくなる。
また、接続作業後において、接続ミスがあった場合は給電しても採光手段34が点灯しないので、透視窓30から接続ミスを知ることができる。
なお、図２（Ａ）における基板９の上側に採光手段34を配置させた場合を説明したが、採光手段34を配設する位置は、上記接片10における接圧部12の存在位置を明るくするものであればよく、例えば図３、４に示すように基板９の下側に配置してもよい。
【００２２】
次に、図２（Ａ）において一点鎖線で図示するケース内に配設されている光ガイド36について説明する。
光ガイド36は、ケース内に備えさせた採光手段34（又は発光手段）の光を接片10の接圧部12に向けて案内する為のもので、
採光手段34の光を上記光ガイド36によって間接的に上記接片における接点の存在位置を明るくするようにするものであればよい。光ガイド36としては、例えば、任意の反射材（ガラス、鏡面等）、任意の樹脂材例えばプラスチック材で形成した導光路、光ファイバ等を用いてもよい。
このような光ガイド36を備えさせる場合は、採光手段34がケース内の接片から離れた位置に配置されていても、ケース内の全ての接片に対して、採光手段34の光を直接的、あるいは間接的に上記接片10における接圧部12の存在位置を明るくすることができる特長がある。
【００２３】
次に、図３に図示するケース２内において固定的に、例えばケースに固着されている基板、或はケースに連なる任意の部材に備えさせる定規体について説明する。
40はケース内に固定的に備えさせた定規体を示す。
42は上記定規体40における透光部を示し、基板９の一部に小孔を形成し、採光手段34の光を透視窓30に向けて透過させるように構成している。
上記透光部42の配置位置は、図３（Ｂ）に示されるように、同軸ケーブルの芯線19aの先部19ｂが上記接片10の接圧部12に嵌合した状態では、上記透光部42から透視窓30へ向かう光が上記芯線19aの先部19ｂによって遮られるような位置に配置している。
上記透光部42の大きさとしては、例えば、同軸ケーブルの芯線19aの外径が1.0mm程度の場合、直径0.9mm程度の透孔としてもよい。
なお、図３において定規体40は、基板９を利用して一体に構成したものを示したが、基板９とは別体に形成させたものを利用するものであってもよい。
【００２４】
上記構成の電子機器１に対する同軸ケーブル15の接続作業を説明する。
接続作業に必要な本数の同軸ケーブル15を準備する。
まず、通常行われるように、挿入する同軸ケーブル15の端部を芯線19及び外部導体17が所定の構成に露出するよう加工する。即ち、図２（Ａ）に示されるように、芯線19及び絶縁体18が所定の長さに露出されるよう絶縁体18及び外被16を切除し、外部導体17を外被上に捲り上げる。
次に、同軸ケーブル15の芯線19aをケース内に向けて挿入し、外被16の内側に取付手段21におけるスリーブ25aが入り込むまで挿入する。
【００２５】
次に、作業者は透視窓30からケース内を見る。
すると、同軸ケーブルの芯線19ａと接片10とが適切に接続されている場合、即ち、同軸ケーブルの芯線19ａの先部19bが接片の接圧部12に嵌合している場合は、
図２（Ｂ）に示されるように、その状態を目視することができる。
一方、もし、同軸ケーブルの芯線19ａと接片の接圧部12が適切に接続されていない場合、例えば、作業者が芯線19ａの挿入方向を誤って、接片10と基板９との間に向けて挿入させ、それにより芯線の先部19ｂが、接圧部12には嵌合していないが接片10の不適当な所に接触している場合は、透視窓30から  同軸ケーブルの芯線19ａが嵌合していない状態の接片10における接圧部12を目視することになる（なおこの場合、導通テストでは合格するが、経年使用により接触不良事故が発生する）。
このように、同軸ケーブルの芯線19ａと接片10とが適切に接続されていないことが確認できる。
この場合は、作業者は同軸ケーブルを抜いて再度接続作業を行うことができるが、状況によっては基板面の回路を傷めたおそれがあるので、内部点検する機会が得られる効果がある。
【００２６】
ケース２内に定規体40を備えさせる場合の接続確認作業について説明する。
作業者は、上記と同様の作業で同軸ケーブル15の芯線19aを接片10に接続した後、眼33で透視窓30からケース内を見る。
同軸ケーブルの芯線19ａと接圧部12とが適切に接続されている場合は、図３（Ｂ）に示されるように、透光部42が芯線19ａの先部19ｂによって遮られた状態、例えば暗い光を目視できる。
一方、もし、同軸ケーブルの芯線19ａと接圧部12とが適切に接続されていない場合は、図３（Ａ）に示されるように、透光部42からの光を明るく目視できる。
よって、透視窓30から目視できる光の明暗によって、接圧部12と芯線19の接続が判別でき、接続状態が適正か否かを素早く、直感的に判別できる。
【００２７】
次に、図２（Ａ）の発光手段による採光手段34とは異なる例として、図２（Ａ）において一点鎖線で示される採光手段34ｅについて説明する。
採光手段34ｅは、ケース２の壁３に透孔を設けてあり、ケース２の外側から任意の外部光源をケース内に向けて照射できるように形成されている。
上記採光手段34ｅの透孔の大きさは、妨害電波が上記ケース内へ入射することを阻止する程度に小さく、かつ、ケース内に向けて照射された外部光源の光が接圧部12の存在位置を明るく照らす程度の大きさに形成すればよい。
上記採光手段34ｅの透孔の大きさとしては、電子機器１において扱う周波数帯域によって大小異なるが、例えばＵＨＦ帯域の場合、上記ケース２内へ入射することを阻止するには直径３mm程度以下が好ましい。しかし、透視窓30の設置場所によっては大きくてもよい。
従って実施に当っては、３mm〜５mm程度にすればよい。
また、上記採光手段34ｅは、透孔に対して周知の電磁シールド材、例えば、ワイヤーメッシュ等金網、或はワイヤーメッシュを透明シートで挟んだシート材で覆って構成させてもよい。
その場合は、妨害電波が上記ケース内へ入射するのを防止できるので、透孔の大きさをより大きくして、外部光源の光で接圧部12の存在位置をより明るく照らすることができる効果がある。
また、上記任意の外部光源としては、ケース２の外側から照射してケース内の接片10における接圧部12の存在位置を明るくするもの、例えば、ＬＥＤライト、懐中電灯、携帯電話のライト、自然光等でもよい。
【００２８】
次に、図３の定規体40とは、定規体における透光部の構成の点において異なる例を示す図４について説明する。
なお、図４において前述の図１〜３のものと機能、性質又は特徴等が同一又は均等構成と考えられる部分には、前述の図１〜３と同一の符号にアルファベットのｆを付して重複する説明を省略する。（また次図のものにおいても順次同様の考えで、前述の図１〜図３と同一の符号にアルファベットのｇ、ｈを順に付して重複する説明を省略する。）
40ｆはケース内に固定的に備えられた定規体を示す。
42a、42ｂは夫々、上記定規体40ｆにおける第１透光部、第２透光部を示し、夫々、基板９ｆの一部に小孔を形成し、採光手段34ｆの光を透視窓30ｆに向けて透過させるように構成してある。
上記第１透光部42aと第２透光部42ｂの位置は、図示のように同軸ケーブルの芯線19afの進入方向に向けて配置されている。
図４（Ｂ）に示されるように、同軸ケーブルの芯線19afの先部19bfが上記接片の接圧部12fに嵌った状態では、上記２つの透光部の内の第１透光部42aから透視窓30fへ向かう光のみが上記芯線の先部19bfによって遮られるような位置に配設し、かつ、図４（Ｃ）に示されるように、上記芯線19afの先部19bfが上記接片の接圧部12fを超えて過剰に進入した状態では、上記第１透光部42a及び第２透光部42ｂから透視窓30fへ向かう光が、夫々上記芯線19fによって遮られるような位置に配設してある。
上記第１透光部42a及び第２透光部42ｂの大きさとしては、例えば、同軸ケーブルの芯線19afの外径が1.0mm程度の場合、直径0.9mm程度の透孔としてもよい。
なお、図４において定規体40ｆは、基板９ｆを利用して一体に構成したものを示したが、基板９ｆとは別体に形成させたものを利用するものであってもよい。
【００２９】
次に、ケース２内に定規体40ｆを備えさせた場合の接続確認作業について説明する。
作業者は、上記と同様の作業で同軸ケーブル15ｆの芯線19afを接片10fに接続した後、眼33で透視窓30fからケース内を見る。
同軸ケーブルの芯線19afと接圧部12fとが適切に接続されている場合は、図４（Ｂ）に示されるように、第１透光部42aが芯線19afによって遮られた状態、例えば暗い光と共に、第２透光部42ｂからの光を明るく目視できる。
しかし、同軸ケーブルの芯線19afと接圧部12fとが適切に接続されていない場合、例えば、作業者が芯線19afの挿入方向を誤って挿入させ、それにより芯線の先部19bfが、接圧部12fには嵌合していないが接片10fが不適当な所に僅かに接触している場合は、図４（Ａ）に示されるように、第１透光部42a及び第２透光部42ｂからの２つの光を明るく目視することになる（なおこの場合、導通テストでは合格するが、経年使用により接触不良事故が発生する）。
さらに、例えば、作業者が図４（Ｃ）に示されるように、芯線の先部19bfの挿入を深く進めすぎて先部19bfが接圧部12fを過剰に超えた場合は、第１透光部42a及び第２透光部42ｂの両方が芯線19afによって遮られた状態、例えば暗い光を目視することになる（なおこの場合、電子回路の部材を損傷させているおそれがある）。
以上のように、作業者は、透視窓30fから目視できる上記定規体40fにおける第１透光部42aと第２透光部42ｂを透過する夫々の光の明暗によって、接圧部12fと芯線19fの接続が判別でき、接続状態が適正か否かを素早く、直感的に判別できる。
なお、図４（Ｃ）における区間４１を透明材で形成し、上記第１透光部42a、第２透光部42ｂの位置に目印（例えば黒ライン・色別印）を付しておいても同様の作用効果は得られる。
【００３０】
次に、図１、２の電子機器とは、透視窓30の開口部の構成において異なる例を示す図５（Ａ）について説明する。
45ａは透視窓30ｇを覆うようにして、ケース2gにおける壁3bgの全面に装着したシート状のカバー体を示す。
上記カバー体45aは、周知の電磁シールド材、例えば、ワイヤーメッシュ等金網、或はワイヤーメッシュを透明シートで挟んだシート材で形成されており、透視窓30gに対して任意の装着手段、例えば接着剤による貼付等で装着してある。
このように、上記カバー体45aを装着した場合は、妨害電波が透視窓30gからケース内へ入射するのをより防止できるので、透視窓30gの大きさをより大きくして、ケース内の接片に対する芯線の接続状態をより確実に目視確認できる。
なお、上記カバー体45aは、ケース2gにおける壁3bgの全面に装着したものを説明したが、カバー体45aの大きさは、透視窓30ｇを覆うことができる大きさのものを用いてもよい。
【００３１】
次に、図１、２の電子機器とは、透視窓30の開口部の構成において異なる例を示す図５（Ｂ）について説明する。
45ｂは、透視窓30ｈを覆うようにして、ケース2ｈにおける壁3bhに装着させた凸レンズ状のカバー体を示す。上記カバー体45ｂは、シールド性のある透明樹脂材、或はワイヤーメッシュ等金網、或はワイヤーメッシュを透明シートで挟んだシート材で形成されたものを用いればよい。透視窓30ｈに対して任意の固着手段、例えば嵌着、圧入等で固着すればよい。
このように、透視窓30ｈに対して上記カバー体45ｂを装着した場合は、妨害電波が上記ケース内へ入射するのをより防止できることにより、透視窓30ｈをより大きくでき、ケース内の接片に対する芯線の接続状態をより確実に目視確認できる。
さらに、カバー体45ｂは凸レンズ状に構成されていれば、作業者が接続確認する際、接片における接圧部の位置を拡大された状態で見ることができ、目視確認をより確実にすることができる。
【図面の簡単な説明】
【００３２】
【図１】電子機器を説明するための平面図
【図２】ケースと接片と同軸ケーブルと透視窓と採光手段等の関係を説明するための図で、（Ａ）は、図１におけるＩＩ−ＩＩ線部分断面図、（Ｂ）は、図１におけるＢ部分拡大図（装着部の図示省略）。
【図３】採光手段の異なる例を説明するための図。
【図４】採光手段の異なる例を説明するための図。
【図５】透視窓の異なる例を説明するための図。
【符号の説明】
【００３３】
１・・・電子機器、２・・・ケース、３・・・壁、４・・・孔、５・・・内部空間、６・・・装着部、９・・・基板、１０・・・接片、１１・・・導入部、１２・・・接圧部、１３・・・本体部、１４・・・元部、１５・・・同軸ケーブル、１６・・・外被、１７・・・外部導体、１８・・・絶縁体、１９・・・芯線、19ａ・・・芯線（露出部）、２１・・・取付手段、２２・・・筒部、２３・・・抜け止爪、２４・・・内部空間、２５・・・導通部材、25a・・・スリーブ、３０・・・透視窓、３４・・・採光手段、３６・・・光ガイド、４０・・・定規体、４２・・・透光部
【図１】
0004708157.tif 000002
【図２】
0004708157.tif 000003
【図３】
0004708157.tif 000004
【図４】
0004708157.tif 000005
【図５】
0004708157.tif 000006